(57)【要約】【課題】前方噴射と、横方噴射と、後方噴射を切り替えることができる消防用ホースノズルの提供を図る。【解決手段】筒状のホースノズル１１と、該ホースノズル１１の先端に取り付けられる開塞装置２０とから構成される。ホースノズル１１は、先端に放水口１２を備えると共に、内筒部に放水路１３が形成されている。開塞装置２０は、放水口１２を閉塞可能であって、放水の止栓と開放を行う開塞手段２１を具備して成る。開塞手段２１により放水口１２が閉塞されると前方噴射Ｆがストップし、代わって吐水口１５からの横方噴射Ｓ若しくは後方噴射Ｂが行われる。【選択図】図１
2018143573.tif 000002
【特許請求の範囲】
【請求項１】
前方噴射と、横方噴射と、後方噴射を切り替えることができる消防用ホースノズルであって、
前記消防用ホースノズルは、筒状のホースノズルと、該ホースノズルの先端に取り付けられる開塞装置と、該ホースノズルの外筒部を前後に移動する放水方向変換キャップと、で構成され、
前記ホースノズルは、先端に放水口を備えると共に、内筒部に放水路が形成され、且つ、外筒部先端部に所要長さを有する移動手段が形成され、外筒部の所定箇所には内筒部と連通する一乃至複数の吐水口が穿設されると共に、該吐水口が穿設される位置から手元方向の位置にテーパー状に肉厚になる止水壁が形成されて成り、
前記開塞装置は、前記放水口を閉塞可能な形状に形成された蓋体であって、該蓋体に放水の止栓と開放を行う開塞手段を具備して成り、
前記放水方向変換キャップは、一方にフランジ面を備え他方が開口する筒状に形成され、前記ホースノズルの外筒部との間に放水隙間が形成されると共に、該フランジ面の略中心位置に前記ホースノズルを貫通しつつ前記移動手段と係合可能な貫通穴が設けられ、該開口外筒縁部には前記ホースノズルの止水壁に密着止する係止面が形成されて成り、
前方噴射時は、前記開塞手段を全開にすると共に、前記放水方向変換キャップの係止面を前記ホースノズルの止水壁に密着止させて前方放水を可能とし、横方噴射時は、前記開塞手段を全塞にすると共に、前記放水方向変換キャップの係止面を前記ホースノズルの吐水口の位置より前方に位置させて横方放水を可能とし、後方噴射時は、前記開塞手段を全塞にすると共に、前記放水方向変換キャップの係止面を前記ホースノズルの止水壁近傍に位置させて後方放水を可能とすることを特徴とする消防用ホースノズル。
【請求項２】
前記吐水口に止栓及び開放が可能な誘導板が回動自在に外設され、該吐水口からの放水が該誘導板を介して誘導されることを特徴とする請求項１に記載の消防用ホースノズル。
【請求項３】
前方噴射と、横方噴射と、後方噴射を切り替えることができる消防用ホースノズルであって、
前記消防用ホースノズルは、筒状のホースノズルと、該ホースノズルの先端に取り付けられて該ホースノズルの先端方向に延伸する開塞装置と、で構成され、
前記ホースノズルは、先端に放水口を備えると共に、内筒部に放水路が形成され、且つ、該内筒部先端部に所要長さを有する延伸手段が形成されて成り、
前記開塞装置は、前記放水口を閉塞可能な形状に形成された蓋体であって、該蓋体に放水の止栓と開放を行う開塞手段を具備し、且つ、前記延伸手段と係合可能な延伸部が手元方向へ立設されると共に、該延伸部に一乃至複数の吐水口が蓋体に隣接した状態で穿設されて成り、
前方噴射時は、前記開塞装置を延伸させずに蓋体がホースノズルと接した状態で前記開塞手段を全開にして前方放水を可能とし、横方噴射Ｓ時及び後方噴射Ｂ時は、前記開塞装置を延伸させて吐水口が露出した状態で前記開塞手段を全塞にして横方放水Ｓ及び後方放水Ｂを可能とすることを特徴とする消防用ホースノズル。
【請求項４】
前記開塞装置における蓋体周縁の所定箇所に誘導板が回動自在に外設され、該吐水口からの放水が該誘導板を介して誘導されることを特徴とする請求項３に記載の消防用ホースノズル。
【請求項５】
前方噴射と、横方噴射と、後方噴射を切り替えることができる消防用ホースノズルであって、
前記消防用ホースノズルは、筒状のホースノズルと、該ホースノズルの先端より先方に所定間隔を空けて固定的に取り付けられる開塞装置と、で構成され、
前記ホースノズルは、先端に放水口を備えると共に、内筒部に放水路が形成されて成り、
前記開塞装置は、前記ホースノズルの先端と連結フレームを介して連結される前記放水口の口径より大径の環状フレームにより形成され、該環状フレームには先端に開塞手段を具備する複数の誘導板が回動自在に外設されて成り、
前方噴射時は、前記誘導板を前記ホースノズルと平行状態となるように回動することで前方放水を可能とし、横方噴射Ｓ時及び後方噴射Ｂ時は、前記誘導板を前記ホースノズルと垂直状態となるように回動することで前記開塞手段が全塞状態となると共に側方が開放されて横方放水Ｓ及び後方放水Ｂを可能とすることを特徴とする消防用ホースノズル。
【請求項６】
前記誘導板が、一乃至複数の所定中間位置において屈曲可能に形成されていることを特徴とする請求項５に記載の消防用ホースノズル。
【発明の詳細な説明】
【技術分野】
【０００１】
本発明は、前方噴射と、横方噴射と、後方噴射を切り替えることができる消防用ホースノズルに関する。
【背景技術】
【０００２】
従来より提供されている消火用ホースノズルを放水方式的に大別すると、ノズル先端から放射される水流が連続した棒状として、放水圧力の強弱により距離が進むにつれて水滴状の飛沫になることで、消火が必要な地点に的確に着水させることができる棒状放水式や、ノズル先端に水流方向を変化させる開口又は段差を設け、該水流をノズル内部で多様な方向に変化させることで、あらかじめ小さな粒状にして先端より放射することで、水粒を先端の構造により様々な大きさに変化させることができる噴霧放水式、そして該棒状放水式と噴霧放水式の両者を組み合わせた様々な種類の消火用ノズルがある。上記の棒状放水式と噴霧放水式における消火用ノズルの違いは、放水時における放水方向と、逆方向に作用する反力の大きさと、放水する水の角度調整の機能の有無であり、ノズル先端における放水圧力が同じ場合、放水時における反力の違いは、ノズル先端部で粒状になって放水されることによりエネルギーが分散される噴霧放水式に比べ、棒状放水式の方がノズルの先端から放射される水流が連続してつながって大きくなることから、かかる棒状放水式は屋外消火活動に適し、また、噴霧放水式は屋内消火活動に適している。
【０００３】
上記における具体的な消火用ノズルの提案としては、例えば、霧状放水と集中放水の同時消火を行うという要求に応えることができ、また、消火作業者の体感温度があがりすぎたり、消火作業中に消火作業者が熱中症となったりする可能性を抑制することができる「流体噴出継ぎ手」（特許文献１）が提案され、公知技術となっている。具体的には、ホース又は流体ノズルの接続部或いは前記いずれかの先部に介設可能な筒状の継ぎ手本体と、前記継ぎ手本体の周方向に亘って配設された複数個の噴口ヘッドと、前記噴口ヘッドよりも軸方向後方寄りの継ぎ手本体周部、又は噴口ヘッドよりも筒径方向内側の継ぎ手本体周部の少なくともいずれかに設けられた噴出調整機構を具備してなる流体噴出継ぎ手であることから、構造的に前方の火災に対して霧状放水と集中放水による消火作業を同時に行うことができる提案である。
【０００４】
しかしながら、かかる「流体噴出継ぎ手」の提案は、真横ならびに後方の消火活動ができない構造であることから、屋内消火活動での広範囲な消火作業ができないと共に、消火作業に携わる消防士を火災の熱さから防御し切れないといった問題があった。
【０００５】
また、日常の散水用として低水圧、低水量に切り替えて使用することができると共に、消火活動時に消火用ホースの長さが不足する場合に、消火用ホースの先端部に接続した消火用ノズルを外すことなく、消火用ノズル自体に他の消火用ホースを簡単且つ容易に接続できるようにした「消火用ノズル」（特許文献２）が提案され、公知技術となっている。具体的には、水路を形成する内筒と、内筒の先端部外周面に回転自在且つ前後方向へ進退移動自在に螺着され、先端部内周面に弁座部を形成した外筒と、内筒の先端部内方に配設され、先端部に外筒の弁座部に当離座し得るデフレクターを設けたスピンドルと、内筒の基端部外周面に相対回転自在に嵌合され、消火用ホースの先端部に接続される筒状の受け金具とを具備し、外筒の進退移動によって放水状態を放水停止又は棒状放水若しくは噴霧放水に切り替え可能な消火用ノズルにおいて、前記消火用ノズルは、大流量から小流量まで流量調整を行える流量調整機構と、他の消火用ホースの基端部に設けた雌型金具に着脱自在に接続される雄型金具とを備えていることによって、消火設備として必要な水圧、水量を確保しつつ、操作の習熟を目的とした日常の散水用として低水圧、低水量に切り替えて使用することができると共に、消火活動時に消火用ホースの長さが不足する場合に、消火用ホースの先端部に接続した消火用ノズルを外すことなく、消火用ノズル自体に他の消火用ホースを簡単且つ容易に接続することができる提案である。
【０００６】
しかしながら、かかる「消火用ノズル」の提案は、上記提案と同様に真横ならびに後方の消火活動ができない構造であることから、屋内消火活動での広範囲な消火作業ができないと共に、消火作業に携わる消防士を火災の熱さから防御し切れないといった問題があった。
【０００７】
本出願人は、消火活動における上記問題点に着目し、特に屋内の消火活動が従来に増して広範囲にできると同時に、消火活動中における消防士の身の安全を確保した上で、上記の問題を解決することができないものかという着想の下、前方噴射と、横方噴射と、後方噴射を容易に切り替えて消火効率と消防士の身の安全を守ることができる消防用ホースノズルを開発し、本発明における「消防用ホースノズル」の提案に至るものである。
【先行技術文献】
【特許文献】
【０００８】
【特許文献１】特開２０１３−９４４２８号公報
【特許文献２】特開２０１６−７３５１５号公報
【発明の概要】
【発明が解決しようとする課題】
【０００９】
本発明は、上記問題点に鑑み、前方噴射と、横方噴射と、後方噴射を切り替えることができる消防用ホースノズルを提供することを課題とする。
【課題を解決するための手段】
【００１０】
上記課題を解決するため、本発明は、前方噴射と、横方噴射と、後方噴射を切り替えることができる消防用ホースノズルであって、前記消防用ホースノズルは、筒状のホースノズルと、該ホースノズルの先端に取り付けられる開塞装置と、該ホースノズルの外筒部を前後に移動する放水方向変換キャップと、で構成され、前記ホースノズルは、先端に放水口を備えると共に、内筒部に放水路が形成され、且つ、外筒部先端部に所要長さを有する移動手段が形成され、外筒部の所定箇所には内筒部と連通する一乃至複数の吐水口が穿設されると共に、該吐水口が穿設される位置から手元方向の位置にテーパー状に肉厚になる止水壁が形成されて成り、前記開塞装置は、前記放水口を閉塞可能な形状に形成された蓋体であって、該蓋体に放水の止栓と開放を行う開塞手段を具備して成り、前記放水方向変換キャップは、一方にフランジ面を備え他方が開口する筒状に形成され、前記ホースノズルの外筒部との間に放水隙間が形成されると共に、該フランジ面の略中心位置に前記ホースノズルを貫通しつつ前記移動手段と係合可能な貫通穴が設けられ、該開口外筒縁部には前記ホースノズルの止水壁に密着止する係止面が形成されて成り、前方噴射時は、前記開塞手段を全開にすると共に、前記放水方向変換キャップの係止面を前記ホースノズルの止水壁に密着止させて前方放水を可能とし、横方噴射時は、前記開塞手段を全塞にすると共に、前記放水方向変換キャップの係止面を前記ホースノズルの吐水口の位置より前方に位置させて横方放水を可能とし、後方噴射時は、前記開塞手段を全塞にすると共に、前記放水方向変換キャップの係止面を前記ホースノズルの止水壁近傍に位置させて後方放水を可能とする手段を採る。
【００１１】
また、本発明は、前記吐水口に止栓及び開放が可能な誘導板が回動自在に外設され、該吐水口からの放水が該誘導板を介して誘導される手段を採用し得る。
【００１２】
さらに、本発明は、前方噴射と、横方噴射と、後方噴射を切り替えることができる消防用ホースノズルであって、前記消防用ホースノズルは、筒状のホースノズルと、該ホースノズルの先端に取り付けられて該ホースノズルの先端方向に延伸する開塞装置と、で構成され、前記ホースノズルは、先端に放水口を備えると共に、内筒部に放水路が形成され、且つ、該内筒部先端部に所要長さを有する延伸手段が形成されて成り、前記開塞装置は、前記放水口を閉塞可能な形状に形成された蓋体であって、該蓋体に放水の止栓と開放を行う開塞手段を具備し、且つ、前記延伸手段と係合可能な延伸部が手元方向へ立設されると共に、該延伸部に一乃至複数の吐水口が蓋体に隣接した状態で穿設されて成り、前方噴射時は、前記開塞装置を延伸させずに蓋体がホースノズルと接した状態で前記開塞手段を全開にして前方放水を可能とし、横方噴射時及び後方噴射時は、前記開塞装置を延伸させて吐水口が露出した状態で前記開塞手段を全塞にして横方放水及び後方放水を可能とする手段を採る。
【００１３】
またさらに、本発明は、前記開塞装置における蓋体周縁の所定箇所に誘導板が回動自在に外設され、該吐水口からの放水が該誘導板を介して誘導される手段を採用し得る。
【００１４】
さらにまた、本発明は、前方噴射と、横方噴射と、後方噴射を切り替えることができる消防用ホースノズルであって、前記消防用ホースノズルは、筒状のホースノズルと、該ホースノズルの先端より先方に所定間隔を空けて固定的に取り付けられる開塞装置と、で構成され、前記ホースノズルは、先端に放水口を備えると共に、内筒部に放水路が形成されて成り、前記開塞装置は、前記ホースノズルの先端と連結フレームを介して連結される前記放水口の口径より大径の環状フレームにより形成され、該環状フレームには先端に開塞手段を具備する複数の誘導板が回動自在に外設されて成り、前方噴射時は、前記誘導板を前記ホースノズルと平行状態となるように回動することで前方放水を可能とし、横方噴射Ｓ時及び後方噴射Ｂ時は、前記誘導板を前記ホースノズルと垂直状態となるように回動することで前記開塞手段が全塞状態となると共に側方が開放されて横方放水Ｓ及び後方放水Ｂを可能とする手段を採る。
【００１５】
そしてまた、本発明は、前記誘導板が、一乃至複数の所定中間位置において屈曲可能に形成されている手段を採用し得る。
【発明の効果】
【００１６】
本発明にかかる消防用ホースノズルによれば、前方噴射と、横方噴射と、後方噴射をホースノズルの先端に取り付けられる開塞装置や放水方向変換キャップを操作することによって容易に切り替えることができる、といった優れた効果を奏する。
【００１７】
また、本発明にかかる消防用ホースノズルによれば、横方噴射と、後方噴射が可能なことから、特に屋内の消防活動において従来に増して効率よく且つ広範囲に消火活動ができるため、早期消火を可能にして人命の救助及び類焼を防ぐことに資すると同時に、消火活動中における消防士の身の安全を守ることができる、といった優れた効果を奏する。
【図面の簡単な説明】
【００１８】
【図１】本発明にかかる消防用ホースノズルの実施形態を示す説明図である。（実施例１）
【図２】本発明にかかる消防用ホースノズルの他の実施形態を示す説明図である。（実施例２）
【図３】本発明にかかる消防用ホースノズルの他の実施形態を示す説明図である。（実施例３）
【図４】本発明にかかる消防用ホースノズルの他の実施形態を示す説明図である。（実施例４）
【図５】本発明にかかる消防用ホースノズルの他の実施形態を示す説明図である。（実施例５）
【図６】本発明にかかる消防用ホースノズルの開塞装置の実施形態を示す説明図である。
【発明を実施するための形態】
【００１９】
本発明にかかる消防用ホースノズル１０は、前方噴射Ｆや横方噴射Ｓだけでなく、後方噴射Ｂを可能ならしめる手段を採用したことを最大の特徴とする。
以下、本発明にかかる消防用ホースノズル１０の実施形態を、図面に基づいて説明する。
【００２０】
尚、本発明にかかる消防用ホースノズル１０は、以下に述べる実施例に限定されるものではなく、本発明の技術的思想の範囲内、すなわち同一の作用効果を発揮できる形状や寸法等の範囲内で、適宜変更することができる。
【実施例１】
【００２１】
図1は、本発明にかかる消防用ホースノズル１０の実施形態を示す説明図である。
本発明にかかる消防用ホースノズル１０は、筒状のホースノズル１１と、該ホースノズル１１の先端に取り付けられる開塞装置２０と、該ホースノズル１１の外筒部を前後に移動する放水方向変換キャップ３０と、で構成されている。
【００２２】
ホースノズル１１は、先端に放水口１２を備えると共に、内筒部に放水路１３が形成され、且つ、外筒部先端部に所要長さを有する移動手段１４が形成され、外筒部の所定箇所には内筒部と連通する一乃至複数の吐水口１５が穿設されると共に、該吐水口１５が穿設される位置から手元方向の位置にテーパー状に肉厚になる止水壁１６が形成された構成となっている。
【００２３】
移動手段１４は、放水方向変換キャップ３０をホースノズル１１の外筒部において前後に移動させるためのものであって、その具体的構造については特に限定するものではないが、例えば図示の様に、外筒部先端部に所要長さを有する雄ねじ部を設けて形成され、放水方向変換キャップ３０に設けられた雌ねじ部と螺合して達成される手段である。かかるねじ構造から成る移動手段１４によれば、放水方向変換キャップ３０を単に回動させることで消火活動における前方放水と、横方放水と、後方放水を可能にする。
【００２４】
吐水口１５は、ホースノズル１１の外筒部の所定箇所に内筒部と連通する様に穿設されるもので、その形状に限定はなく、一乃至複数の吐水口１５が穿設される。前方噴射Ｆ時は、ホースノズル１１の止水壁１６に放水方向変換キャップ３０の口外筒縁部に設けられた係止面３４が密着止して吐水口１５からの放水が停止され、横方噴射Ｓ時及び後方噴射Ｂ時は放水方向変換キャップ３０を前方に移動させて前記ホースノズル１１の止水壁１６から係止面３４を離すことで吐水口１５からの放水が行われる。
【００２５】
止水壁１６は、ホースノズル１１の外筒部吐水口１５が穿設される位置から手元方向の位置にテーパー状に肉厚になる形状を有して形成されるもので、放水方向変換キャップ３０の口外筒縁部に設けられた係止面３４が密着止する形状に形成される。尚、テーパー部分の傾斜角度については、設計段階で任意に設定可能であり、該傾斜角度を急傾斜即ちできるだけ垂直に近い角度とすることで、横方から後方までより広い範囲の放水を可能にすることができる。
【００２６】
開塞装置２０は、放水口１２を閉塞可能な形状に形成された蓋体２２であって、該蓋体２２に放水の止栓と開放を行う開塞手段２１を具備して成る。かかる開塞手段２１の具体的構造については特に限定するものではないが、例えば図６（ａ）に示す様に絞り羽によるシャッター方式や、図６（ｂ）に示すように互い違いによる重ね合わせ穴方式による開塞手段２１が考え得る。
図６（ａ）は、開塞手段２１をシャッター方式とした場合の概略説明図であり、外筒リングを回動させて絞り羽の開閉を行うことで、前方放水を可能にする構造である。図６（ｂ）は、開塞手段２１を重ね合わせ穴方式とした場合の概略説明図であり、重合される同形の放水穴の重なり具合によって、前方放水を可能にする構造である。
【００２７】
放水方向変換キャップ３０は、一方にフランジ面３１を備え他方が開口する筒状に形成され、ホースノズル１１の外筒部との間に放水隙間３２が形成されると共に、該フランジ面３１の略中心位置にホースノズル１１を貫通しつつ移動手段１４と係合可能な貫通穴３３が設けられ、該開口外筒縁部にはホースノズル１１の止水壁１６に密着止する係止面３４が形成された構成となっている。
【００２８】
放水隙間３２は、ホースノズル１１の外筒部と放水方向変換キャップ３０の内筒部の間に形成される隙間空間で、移動手段１４によって放水方向変換キャップ３０が前方へ移動することで、吐水口１５からの放水が該放水隙間３２を介して横方及び後方へと放水される。
【００２９】
貫通穴３３は、ホースノズル１１の外筒部に形成された移動手段１４と係合可能に形成されて成る。即ち、移動手段１４の構造によって係合手段の具体的構造が決定される。
【００３０】
以上の構成から成る本発明にかかる消防用ホースノズル１０の使用態様について、図面を参照しつつ説明する。
図１（ａ）は、前方噴射Ｆ時の説明図である。ホースノズル１１の先端に装着された開塞手段２１を全開にした状態で、放水方向変換キャップ３０の係止面３４とホースノズル１１の止水壁１６が密着することで、前方放水を可能にする。このとき、前方噴射Ｆ時の放水を棒状やシャワー状に可変する常法手段・構造を本発明にかかる消防用ホースノズル１０に採用することも可能である。
【００３１】
図１（ｂ）は、横方噴射Ｓ時の説明図である。ホースノズル１１の先端に装着された開塞手段２１を全塞にした状態で、放水方向変換キャップ３０の係止面３４をホースノズル１１の吐水口１５の位置より前方に位置させることによって、横方放水を可能にする。
【００３２】
図１（ｃ）は、後方噴射Ｂ時の説明図である。ホースノズル１１の先端に装着された開塞手段２１を全塞にした状態で、放水方向変換キャップ３０の係止面３４をホースノズル１１の止水壁１６近傍に位置させることによって、後方放水を可能にする。このとき、放水方向変換キャップ３０の係止面３４とホースノズル１１の止水壁１６との間隔によって、後方噴射Ｂの角度を決定することが可能であると共に、放水圧・放水量を調整することも可能となる。
【００３３】
以上で構成される本発明にかかる消防用ホースノズル１０は、前方噴射Ｆと、横方噴射Ｓと、後方噴射Ｂをホースノズル１１の先端に取り付けられる開塞装置２０と放水方向変換キャップ３０を操作することによって容易に切り替えることができ、さらに横方放水と、後方放水が可能になることから、特に屋内の消防活動において従来に増して効率よく且つ広範囲に消火活動ができると同時に、消火活動中における消防士の身の安全を守ることができる。
【実施例２】
【００３４】
図２は、本発明にかかる消防用ホースノズル１０の他の実施形態を示す説明図である。上記実施例１と同様の部分は省略する。
本発明にかかる消防用ホースノズル１０は、吐水口１５に止栓及び開放が可能な誘導板４０が回動自在に外設され、該吐水口１５からの放水が該誘導板４０を介して誘導されるように形成されている。
【００３５】
誘導板４０は、ホースノズル１１の外筒部に穿設される吐水口１５の先端側を回動枢軸として吐水口１５の止栓及び開放を可能とする回動自在に外設され、該吐水口１５からの横方噴射Ｓと、後方噴射Ｂの放水を誘導する形状に形成される。尚、該誘導板４０の具体的形状について、図示の様に側面視で平らな平板状とすることも考え得るが、強力な水圧を受けても大きなストレス（負荷）なく放水を自然に誘導可能とすべく、側面視で緩やかな弧状とする態様も可能である。また、該誘導板４０の大きさも任意に決定し得る。
【００３６】
以上の構成から成る本発明にかかる消防用ホースノズル１０の使用態様について、図面を参照しつつ説明する。
図２（ａ）は、前方噴射Ｆ時の説明図である。ホースノズル１１の先端に装着された開塞手段２１を全開にした状態で、放水方向変換キャップ３０の係止面３４とホースノズル１１の止水壁１６が密着し、放水方向変換キャップ３０の内筒部とホースノズル１１の外筒部との間に形成される放水隙間３２内に誘導板４０が格納されることで、前方放水を可能にする。
【００３７】
図２（ｂ）は、横方噴射Ｓ時の説明図である。ホースノズル１１の先端に装着された開塞手段２１を全塞にした状態で、放水方向変換キャップ３０の係止面３４をホースノズル１１の吐水口１５の位置よりさらに前方に位置させることで誘導板４０が水圧で横方に拡開して、横方放水を可能にする。
【００３８】
図２（ｃ）は、後方噴射Ｂ時の説明図である。ホースノズル１１の先端に装着された開塞手段２１を全塞にした状態で、放水方向変換キャップ３０の係止面３４をホースノズル１１の吐水口１５の上方位置に位置させることで誘導板４０が水圧で傾斜しつつ係止面３４に当接し、後方放水を可能にする。このとき、放水方向変換キャップ３０の係止面３４の位置によって誘導板４０の傾斜角度を任意に変えることができ、後方噴射Ｂの角度を自在に決定することが可能である。
【００３９】
以上で構成される本発明にかかる消防用ホースノズル１０は、前方噴射Ｆと、横方噴射Ｓと、後方噴射Ｂをホースノズル１１の先端に取り付けられる開塞装置２０と放水方向変換キャップ３０を操作することによって容易に切り替えることができ、さらに誘導板４０の傾斜角度を任意に決定することで、横方放水及び後方放水の角度を自在に決定することができることから、特に屋内の消防活動において従来に増して効率よく且つ広範囲に消火活動ができると同時に、消火活動中における消防士の身の安全を守ることができる。
【実施例３】
【００４０】
図３は、本発明にかかる消防用ホースノズル１０の他の実施形態を示す説明図である。
本発明にかかる消防用ホースノズル１０は、筒状のホースノズル１１と、該ホースノズル１１の先端に取り付けられて該ホースノズル１１の先端方向に延伸する開塞装置２０と、で構成されている。
【００４１】
ホースノズル１１は、先端に放水口１２を備えると共に、内筒部に放水路１３が形成され、且つ、内筒部先端部に所要長さを有する延伸手段４１が形成された構成となっている。
【００４２】
延伸手段４１は、開塞装置２０をホースノズル１１の内筒部において前後に移動させるためのものであって、その具体的構造については特に限定するものではないが、例えば図示の様に、内筒部先端部に所要長さを有する雌ねじ部を設けて形成され、開塞装置２０の延伸部４２に設けられた雄ねじ部と螺合して達成される手段である。かかるねじ構造から成る延伸手段４１によれば、開塞装置２０を単に回動させることで消火活動における前方放水と、横方放水と、後方放水を可能にする。
【００４３】
開塞装置２０は、放水口１２を閉塞可能な形状に形成された蓋体２２であって、該蓋体２２に放水の止栓と開放を行う開塞手段２１を具備し、且つ、延伸手段４１と係合可能な延伸部４２が手元方向へ立設されると共に、該延伸部４２に一乃至複数の吐水口１５が蓋体２２に隣接した状態で穿設された構成となっている。かかる開塞手段２１の具体的構造については特に限定するものではないが、例えば図６に示す様に、絞り羽によるシャッター方式や、互い違いによる重ね合わせ穴方式による開塞手段２１が考え得る。
【００４４】
吐水口１５は、開塞装置２０に立設された延伸部４２の所定箇所に内筒部と連通する様に穿設されるもので、その形状に限定はなく、一乃至複数の吐水口１５が穿設される。前方噴射Ｆ時は、開塞装置２０を延伸させずに蓋体２２がホースノズル１１と接した状態とすることで、延伸部４２に穿設された吐水口１５がホースノズル１１の内筒部によって塞がれ、横方噴射Ｓ時及び後方噴射Ｂ時は開塞装置２０を延伸させて吐水口１５をホースノズル１１から露出させることで、吐水口１５からの放水が行われる。
【００４５】
以上の構成から成る本発明にかかる消防用ホースノズル１０の使用態様について、図面を参照しつつ説明する。
図３（ａ）は、前方噴射Ｆ時の説明図である。開塞手段２１を全開にした状態で開塞装置２０を延伸させずに蓋体２２がホースノズル１１と接した状態とすることで、延伸部４２に穿設された吐水口１５をホースノズル１１の内筒部によって塞いで露出させず、前方放水を可能にする。このとき、前方噴射Ｆ時の放水を棒状やシャワー状に可変する常法手段・構造を本発明にかかる消防用ホースノズル１０に採用することも可能である。
【００４６】
図３（ｂ）は、横方噴射Ｓ時及び後方噴射Ｂ時の説明図である。開塞手段２１を全塞にした状態で開塞装置２０を延伸させて吐水口１５をホースノズル１１から露出させることで、横方及び後方への放水を可能にする。このとき、吐水口１５の露出量によって、放水圧・放水量を調整することも可能となる。
【００４７】
以上で構成される本発明にかかる消防用ホースノズル１０は、前方噴射Ｆと、横方噴射Ｓ及び後方噴射Ｂと、をホースノズル１１の先端に取り付けられる開塞装置２０を操作することによって容易に切り替えることができることから、特に屋内の消防活動において従来に増して効率よく且つ広範囲に消火活動ができると同時に、消火活動中における消防士の身の安全を守ることができる。
【実施例４】
【００４８】
図４は、本発明にかかる消防用ホースノズル１０の他の実施形態を示す説明図である。上記実施例３と同様の部分は省略する。
本発明にかかる消防用ホースノズル１０は、開塞装置２０における蓋体２２周縁の所定箇所に誘導板４０が回動自在に外設され、該吐水口１５からの放水が該誘導板４０を介して誘導される構成となっている。
【００４９】
誘導板４０は、開塞装置２０における蓋体２２周縁を回動枢軸として回動自在に外設され、該吐水口１５からの横方噴射Ｓと、後方噴射Ｂの放水を誘導する形状に形成される。尚、該誘導板４０の具体的形状について、図示の様に側面視で平らな平板状とすることも考え得るが、強力な水圧を受けても大きなストレス（負荷）なく放水を自然に誘導可能とすべく、側面視で緩やかな弧状とする態様も可能である。
【００５０】
以上の構成から成る本発明にかかる消防用ホースノズル１０の使用態様について、図面を参照しつつ説明する。
図４（ａ）は前方噴射Ｆ時の説明図である。ホースノズル１１の先端に装着された開塞装置２０に具備される開塞手段２１を全開にした状態で、該開塞装置２０を延伸させずに蓋体２２がホースノズル１１と接した状態とすることで、延伸部４２に穿設された吐水口１５をホースノズル１１の内筒部によって塞いで露出させず、前方放水を可能にする。このとき、前方噴射Ｆ時の放水を棒状やシャワー状に可変する常法手段・構造を本発明にかかる消防用ホースノズル１０に採用することも可能である。
【００５１】
図４（ｂ）は、横方噴射Ｓ時の説明図である。開塞手段２１を全塞にした状態で開塞装置２０を延伸させて吐水口１５をホースノズル１１から露出させ、且つ、誘導板４０を横方に拡開することで、横方放水を可能にする。このとき、吐水口１５の露出量によって、放水圧・放水量を調整することも可能となる。
【００５２】
図４（ｃ）は、後方噴射Ｂ時の説明図である。開塞手段２１を全塞にした状態で開塞装置２０を延伸させて吐水口１５をホースノズル１１から露出させ、且つ、誘導板４０を斜め後方に傾斜させることで、後方放水を可能にする。このとき、吐水口１５の露出量によって、放水圧・放水量を調整することが可能なことは、前記同様である。
【００５３】
以上で構成される本発明にかかる消防用ホースノズル１０は、前方噴射Ｆと、横方噴射Ｓと、後方噴射Ｂをホースノズル１１の先端に取り付けられる開塞装置２０及び誘導板４０を操作することによって容易に切り替えることができことから、特に屋内の消防活動において従来に増して効率よく且つ広範囲に消火活動ができると同時に、消火活動中における消防士の身の安全を守ることができる。
【実施例５】
【００５４】
図５は、本発明にかかる消防用ホースノズル１０の他の実施形態を示す説明図である。
本発明にかかる消防用ホースノズル１０は、筒状のホースノズル１１と、該ホースノズル１１の先端より先方に所定間隔を空けて固定的に取り付けられる開塞装置２０と、で構成されている。
【００５５】
ホースノズル１１は、先端に放水口１２を備えると共に、内筒部に放水路１３が形成された構成となっている。
【００５６】
開塞装置２０は、放水口１２の口径より大径の開口を有する環状フレームにより形成され、ホースノズル１１の先端と連結フレーム２４を介して連結されている。これにより、該開塞装置２０は、ホースノズル１１の先端より先方に所定間隔を空けて固定的に取り付けられることとなり、かかる所定間隔が横方噴射Ｓ時及び後方噴射Ｂ時の吐水口１５として機能する。
また、開塞装置２０（環状フレーム）には、放水の止栓と開放を行う開塞手段２１を先端に具備する複数の誘導板４０が回動自在に外設された構成となっている。
【００５７】
開塞装置２０（環状フレーム）の具体的な平面視形状については、無端環状のフレーム構造であれば特に限定するものではなく、円形状や多角形状など種々形状が考え得るが、誘導板４０が回動自在に外設されることに鑑みると、  開塞装置２０（環状フレーム）を多角形状として該形状の一辺を誘導板４０の回動枢軸とすることが好ましい。尚、図６（ｃ）及び（ｄ）では、開塞装置２０（環状フレーム）を平面視六角形状とした場合について示しているが、五角形状や八角形状などであっても構わない。
【００５８】
誘導板４０は、開塞装置２０における環状フレーム周縁を回動枢軸として回動自在に外設され、先端に開塞手段２１を具備すると共に、後端部分は側方（吐水口１５）からの横方噴射Ｓと、後方噴射Ｂの放水を誘導する形状に形成される。尚、該誘導板４０の具体的形状について特に限定はないが、開塞手段２１の形状は、開塞装置２０（環状フレーム）の開口を複数の誘導板４０の開塞手段２１により閉塞可能な形状であることを要し、例えば図６（ｃ）に示す様に、開塞手段２１の形状について環状フレームの一辺を底辺とし開口の中心を頂点とする二等辺三角形に形成して、複数の開塞手段２１が合体して開塞装置２０（環状フレーム）の開口と同形状を為すように構成することが考え得る。但し、開塞手段２１の形状については、開口を確実に閉塞し得るという機能性に鑑み、隣接する開塞手段２１と一部が重なり合う形状としても構わない。
【００５９】
誘導板４０は、図５（ｃ）及び（ｄ）に示す様に、所定中間位置において屈曲可能に構成することが考え得る。屈曲可能な箇所については特に限定はないが、図示の様に、一の誘導板４０に一乃至複数の屈曲可能な箇所を形成し得る。尚、図面では、誘導板１０先端の開塞手段２１との境であって開塞装置２０（環状フレーム）と回動自在に外設された回動枢軸部分、そして後端には２箇所、の計３箇所を屈曲可能とした場合について示している。
また、誘導板４０を屈曲させるための方法については、特に限定するものではなく、ワイヤーを介して絞る方法や機械的な制御方法など、適宜任意の方法を用いればよい。
【００６０】
以上の構成から成る本発明にかかる消防用ホースノズル１０の使用態様について、図面を参照しつつ説明する。
図５（ａ）は、前方噴射Ｆ時の説明図である。誘導板４０をホースノズル１１と平行状態となるように回動することで、該誘導板４０の先端に具備された開塞手段２１が全開状態となり、且つ、該誘導板４０の後端部分がホースノズル１１と開塞装置２０との間を閉塞することで、前方放水を可能にする。このとき、前方噴射Ｆ時の放水を棒状やシャワー状に可変する常法手段・構造を本発明にかかる消防用ホースノズル１０に採用することも可能である。
【００６１】
図５（ｂ）は、横方噴射Ｓ時の説明図である。誘導板４０をホースノズル１１と垂直状態となるように回動することで、該誘導板４０の先端に具備された開塞手段２１が全塞状態となり、且つ、該誘導板４０の後端部分がホースノズル１１と開塞装置２０との間を開放することで、横方放水Ｓを可能にする。
【００６２】
図５（ｃ）は、後方噴射Ｂ時の説明図である。誘導板４０を屈曲可能な構造とし、図５（ｂ）に示す状態から、誘導板１０先端の開塞手段２１との境であって開塞装置２０（環状フレーム）と回動自在に外設された回動枢軸部分を屈曲することで、該誘導板４０の先端に具備された開塞手段２１が全塞状態となり、且つ、該誘導板４０の後端部分がホースノズル１１と開塞装置２０との間を開放しつつ斜め後方に位置することで、斜め後方への後方放水Ｂを可能にする。
【００６３】
図５（ｄ）は、後方噴射Ｂ時の説明図である。誘導板４０を屈曲可能な構造とし、図５（ｃ）に示す状態から、誘導板１０の後端の２箇所を屈曲することで、該誘導板４０の先端に具備された開塞手段２１が全塞状態となり、且つ、該誘導板４０の後端部分がホースノズル１１と開塞装置２０との間を開放しつつ該ホースノズル１１の先端を包み込む様（図６（ｄ）参照）に位置することで、真後への後方放水Ｂを可能にする。
【００６４】
ところで、誘導板４０を屈曲可能な構造とした場合に、各誘導板４０の屈曲状態を夫々違える態様、即ち各誘導板４０が夫々独立して屈曲する態様も可能である。例えば、前方噴射Ｆと横方噴射Ｓや後方噴射Ｂを同時に行いたい場合に、複数ある誘導板４０のうち幾つかを図５（ａ）の状態とし、残りを図５（ｂ）乃至（ｄ）の状態とするなど、図５（ａ）〜（ｄ）の状態を適宜組み合わせる態様とすることも可能である。
また、誘導板４０の屈曲方向は図示した様な一方向（内側）のみならず、他方向（外側）へ屈曲させる態様も考え得る。
【００６５】
以上で構成される本発明にかかる消防用ホースノズル１０は、前方噴射Ｆと、横方噴射Ｓ及び後方噴射Ｂと、をホースノズル１１の先端に取り付けられる開塞装置２０の誘導板４０を操作することによって容易に切り替えることができることから、特に屋内の消防活動において従来に増して効率よく且つ広範囲に消火活動ができると同時に、消火活動中における消防士の身の安全を守ることができる。
【産業上の利用可能性】
【００６６】
本発明は、火災現場において放水の前方噴射と、横方噴射と、後方噴射を自由に切り替えることができると共に、消火作業に従事する消防士の身の安全を確保することができ、放水量や放水圧に合わせて手動方式から機械式のあらゆる消防用ホースのノズル構造として採用することが可能であって、本発明にかかる「消防用ホースノズル」の産業上の利用可能性は極めて大であるものと思料する。
【符号の説明】
【００６７】
１０    消防用ホースノズル
１１    ホースノズル
１２    放水口
１３    放水路
１４    移動手段
１５    吐水口
１６    止水壁
２０    開塞装置
２１    開塞手段
２２    蓋体
２４    連結フレーム
３０    放水方向変換キャップ
３１    フランジ面
３２    放水隙間
３３    貫通穴
３４    係止面
４０    誘導板
４１    延伸手段
４２    延伸部
Ｆ    前方噴射
Ｓ    横方噴射
Ｂ    後方噴射
【図１】
2018143573.tif 000003
【図２】
2018143573.tif 000004
【図３】
2018143573.tif 000005
【図４】
2018143573.tif 000006
【図５】
2018143573.tif 000007
【図６】
2018143573.tif 000008